(57)【要約】      （修正有）【課題】自らの体重を利用し、さらに補助的に手・腕・足・脚を動かして、力の要しない、なでる・あてる等の簡単な動作で按摩ができる手動式兼体重利用型按摩器を提供する。【解決手段】各面に円弧加工の凹部２を形成し、角部３は全て丸いＲ加工を施した糸巻き型平型直方体形状で、自分自身の体重移動や手足の動きの動作で身体各部の按摩ができる糸巻き型携帯按摩器。使用方法としては、一例として、足の脹脛と腿の間に本携帯型按摩器を挟んで押えながら繰り返し足を動かす。この際、縦・横両方で反復使用する。また、二の腕の後ろに本携帯按摩器を立てて手を動かしたり、４隅で腕をこする。【選択図】図１
0003155501.tif 000002
【実用新案登録請求の範囲】
【請求項１】
各面に円弧加工の凹部を形成し、角部は全て丸いＲ加工を施した糸巻き型平型直方体形状で、自分自身の体重移動や手足の動きの動作で身体各部の按摩ができる糸巻き型携帯按摩器。
【考案の詳細な説明】
【技術分野】
【０００１】
本考案は、自らの体重を利用し、さらに補助的に手・腕・足・脚を動かして、力の要しない、なでる・あてる等の簡単な動作で按摩ができる手動式兼体重利用型按摩器に関するものである。
【背景技術】
【０００２】
従来技術としては、（１）全身の筋肉部位を、衣服の上から、筋肉に沿って「鶏卵型単体の腹曲面」でなでることを基本とする。（２）頭部は髪の毛を乱さず按摩ができる方法として、「鶏卵型単体の腹曲面」をあてるだけでよい。帽子の上からでもできるという利便性がある。（３）素肌の顔面部（眼球以外）や頚部も「鶏卵型の腹曲面」をあてるだけでよい。耳下や「ぼんのくぼ」等、凹状部分は「鶏卵型の尻曲面」を使用。（４）背中の手の届かない部分等は、寝具や椅子の背当て部と身体の間に鶏卵型単体を挟み、「鶏卵型腹曲面」に体重をかけて按摩することができる。（５）特異な按摩方法として、椅子の座面に置き肛門部に「鶏卵型腹曲面」を当てて座ると肛門括約筋周辺部の筋肉を優しく刺激、血流改善ができ、通常できない部分の按摩が可能になる。（６）さらに体重をかけて転がす方法で足裏按摩をも可能にする。（７）つぼといわれる部分をピンポイントで強く刺激したい場合は「鶏卵型按摩器の頭部曲面や尻部曲面」を利用して圧すと簡単に指圧効果が得られる。という付属物のない表面の滑らかな鶏卵型単体の按摩器（例えば、特許文献１参照）が存在している。
【先行技術文献】
【特許文献】
【０００３】
【特許文献１】実用新案登録第３１４９２２４号公報（実用新案登録請求の範囲の欄、考案の詳細な説明、及び図１、図２を参照）
【考案の概要】
【考案が解決しようとする課題】
【０００４】
しかしながら、これまで自分自身で按摩を施す場合も含めて、指先等にかなりの力が必要となり、疲れるという欠点があった。また、施される側も指先による人為的な按摩方法では、力の強弱が不安定であり、疲れる面が多々あった。これらのことから、誰もがより簡単に的確に按摩ができ、使用場所や時間を限定する必要のない按摩ができる方法や器具が工夫された人の手のように、的確に優しく簡単に全身を按摩できる携帯に便利な鶏卵型単体あんま器が開示されているが、これは手の平で握って手の平指圧をするか、卵型の尻の部分でつぼを押すか、体重をかけるか、なでるかして使用するものであるが、形状が卵型であるため、不安定であり、特に手の届かない部位の按摩はできないという欠点がある。
本考案は、これらの欠点を解決した糸巻き型携帯按摩器を提供することを目的としている。
【課題を解決するための手段】
【０００５】
上記課題を解決するための本考案の第１考案は、請求項１に記載された通りの糸巻き型携帯按摩器であり、次のようなものである。
各面に円弧加工の凹部を形成し、角部は全て丸いＲ加工を施した糸巻き型平型直方体形状で、自分自身の体重移動や手足の動きの動作で身体各部の按摩ができる構成である。
【考案の効果】
【０００６】
本考案に係る糸巻き型携帯按摩器は、上記説明のような構成であるので、以下に記載する効果を奏する。
（１）単純化した糸巻き型携帯按摩器であるので、使い勝手が良く、手動式でも体重を単に掛けるだけで使用できる万能型按摩器である。
（２）糸巻き型で曲面を持つ滑らかな形状であるので、挟み易く、滑らせ易い、身体上で動かし易く、従来のものに比べて力の要しない按摩器である。
（３）手の力や体重圧を無駄なく身体の作用部に伝えることができる形状で、身体への接地点が常に安定した状態で按摩が可能となるものである。
（４）使用時に安定感があり、日本人に馴染みのある糸巻き形状で、携帯に便利であり、対象形で中心が出し易く、角が全てＲ加工しているため肌触りも良いものである。
【考案を実施するための形態】
【０００７】
各面に円弧加工の凹部を形成し、角部は全て丸いＲ加工を施した糸巻き型平型直方体形状で、自分自身の体重移動や手足の動きの動作で身体各部の按摩ができる糸巻き型携帯按摩器である。
【図面の簡単な説明】
【０００８】
【図１】本考案の糸巻き型携帯按摩器の構成を示す平面図である。
【図２】本考案の糸巻き型携帯按摩器の構成を示す底面図である。
【図３】本考案の糸巻き型携帯按摩器の構成を示す右側面図である。
【実施例】
【０００９】
以下、本考案の糸巻き型携帯按摩器に関する具体的実施例について、図１〜図３に基づいて説明する。
本考案の糸巻き型携帯按摩器は、材料としては木材製、硬質プラスチック製で形成したものである。
形状は、図１〜図３に示す通り、シンプルな形で日本人に馴染みの深い糸巻き形状を有する本体１である。そして中心が出し易い対称形を有する平型直方体で、各面に円弧加工の凹部２を形成し、さらに各角部３は全て肌触りの良い丸いＲ加工を施して糸巻き形状を形成している。
以上のような構造を有することにより、自分自身の体重移動、手足の動き等の動作で身体各部を按摩できるものである。また、本考案品を使用する時は、比較的安定感があり、携帯に便利な形である。
【００１０】
ここで、使用方法について例を挙げて具体的に説明する。
椅子に座って
・足の脹脛と腿の間に本考案の糸巻き型携帯按摩器を挟んで押えながら繰り返し足を動かす。この際、縦・横両方で反復使用する。また、二の腕の後ろに本考案の糸巻き型携帯按摩器を立てて手を動かしたり、４隅で腕をこする。
（２）正座して
・本考案の糸巻き型携帯按摩器を脹脛と脹脛に挟んで正座して利用する。
（３）立った状態で
・本考案の糸巻き型携帯按摩器を平らにして足の裏で足踏み器のように踏んで按摩をする。
（４）横になって
・枕に乗せた首の根本に本考案の糸巻き型携帯按摩器を立てて、４隅の丸い部分、角部をつぼに当てて首を回して使用する。
・枕の上に本考案の糸巻き型携帯按摩器を乗せ、その上に頭を乗せて首を左右に振る。
・内股の付け根に立てて挟む。
・手に持った糸巻き型携帯按摩器を立てて上の足を開いたり、閉じたりしながら刺激を与え、さらに糸巻き型携帯按摩器を下にずらして、又足を開いたり、閉じたり繰り返す。足は前後に動かすようにする。
・身体を横に向けて足の腿の下に本考案の糸巻き型携帯按摩器を立てて置いて、足を軽く前後に振る。さらに糸巻き型携帯按摩器の位置を段々変えていく。
（５）背中を按摩する時
・膝を立てて、仰向けに寝てお尻の下に本考案の糸巻き型携帯按摩器を敷いて、足を動かしたり、平らにしたり、立てたりして４隅の丸い角部を使って按摩する。
・背中や肩甲骨に本考案の糸巻き型携帯按摩器を平らにして当てて膝を立てて足を揃えて左右に振るようにする。
【産業上の利用可能性】
【００１１】
タオル等で包んで枕等として利用することができる。
【符号の説明】
【００１２】
１・・・・本体
２・・・・円弧加工の凹部
３・・・・角部
【図１】
0003155501.tif 000003
【図２】
0003155501.tif 000004
【図３】
0003155501.tif 000005